(57)【特許請求の範囲】
【請求項１】
第１及び第２の加熱部と、前記第１及び第２の加熱部の各々の動作を独立して設定すると共に、この設定内容を表示する操作表示部とを有し、前記操作表示部は、前記第１及び第２の加熱部の動作時間を各々独立して設定し、それらの動作残時間の何れか１つを表示する残時間表示手段と、１つのタイマカウンタと、記憶手段とを備え、前記タイマカウンタは、前記第１及び第２の加熱部に対応した第１及び第２の動作残時間の中で大なる動作残時間をカウントし、前記記憶手段は、前記第１の動作残時間と前記第２の動作残時間との差を記憶し、前記残時間表示手段へは、前記大なる動作残時間はそのまま表示、小なる動作残時間は、前記大なる動作残時間と前記記憶手段で記憶している値との差分を表示するよう構成した加熱調理器。
【請求項２】
残時間表示手段に表示している動作残時間がどの加熱部のものであるかを示す選択表示手段を有する構成の請求項１に記載の加熱調理器。
【請求項３】
操作表示部が選択手段を有し、前記選択手段にて選択された加熱部の動作残時間を残時間表示手段に表示する構成の請求項１または２に記載の加熱調理器。
【請求項４】
選択手段はスイッチから成り、前記スイッチの押下動作の繰り返しで加熱部の選択を行う構成とした請求項３に記載の加熱調理器。
【請求項５】
第１及び第２の加熱部が動作時間を設定されている場合に、各々の動作残時間を時系列で残時間表示手段に順次表示する構成の請求項１または２に記載の加熱調理器。
【請求項６】
加熱動作を実行している加熱部を優先して動作時間の設定ができる構成の請求項１〜５のいずれか１項に記載の加熱調理器。
【請求項７】
加熱動作を実行している加熱部に対してのみ動作時間の設定ができる構成の請求項１〜６のいずれか１項に記載の加熱調理器。
【請求項８】
報知手段を有し、残時間表示手段にて大なる動作残時間を表示中に、小なる動作残時間が０となれば、前記報知手段にて小なる動作残時間としている加熱部の動作を終了する旨の報知を行い該当する加熱部の動作を終了すると共に、前記残時間表示手段の表示を小なる動作残時間の表示に切り換え、前記報知を終了後は再度大なる動作残時間の表示に戻るよう構成した請求項１〜７のいずれか１項に記載の加熱調理器。
【発明の詳細な説明】
【技術分野】
【０００１】
本発明は一般家庭やレストラン及びオフィスなどで使用される複数の加熱部を有する加熱調理器に関するものである。
【背景技術】
【０００２】
従来、この種の加熱調理器は、２つの加熱部に独立して設定した調理タイマの残時間の何れか一方を１つの表示器で表示するものであることが開示されている（例えば、特許文献１参照）。
【特許文献１】特開平１１−２９４７７７号公報
【発明の開示】
【発明が解決しようとする課題】
【０００３】
しかしながら、前記従来の構成では、２つの加熱部の調理タイマの残時間をカウントするタイマをそれぞれ独立して設けている構成であるため、調理タイマを設ける加熱部の数が２つ以上になれば、その加熱部の数だけ独立して動作するカウントタイマを設けなくてはならず、１つのマイクロコンピュータでこの加熱調理器の制御システムを構築したい場合等では、マイクロコンピュータ内部のカウントタイマ数をこの調理タイマのカウント用に占有されてしまい、他のシステムの制御に必要なカウントタイマが不足してしまったり、タイマカウントを実行するプログラム領域（ＲＯＭ領域）が増加し、他のシステムの制御に必要なプログラム領域が不足するという課題を有していた。また、これを解決するには、新たにもう１つマイクロコンピュータを設けたり、更に上位のアーキテクチャを持った（カウントタイマをより多く、或いはプログラム領域をより多く持った）マイクロコンピュータに変更することが考えられるが、これによる部品のコストアップや既存システムからの変更等による機器開発コスト（開発パワー）の増大を招くという課題を有していた。
【０００４】
本発明は前記従来の課題を解決するもので、タイマ残時間を表示する表示器の数と使用するカウントタイマの数を増加させることなく、複数の加熱部に調理タイマ機能を搭載することを可能にし、制御部品のコストアップや機器開発コストの増大を抑制して、より安価で使い勝手の良い加熱調理器を提供することを目的とする。
【課題を解決するための手段】
【０００５】
上記目的を達成するために、本発明の加熱調理器は、第１及び第２の加熱部と、前記第１及び第２の加熱部の各々の動作を独立して設定すると共に、この設定内容を表示する操作表示部とを有し、前記操作表示部は、前記第１及び第２の加熱部の動作時間を各々独立して設定し、それらの動作残時間の何れか１つを表示する残時間表示手段と、１つのタイマカウンタと、記憶手段とを備え、前記タイマカウンタは、前記第１及び第２の加熱部に対応した第１及び第２の動作残時間の中で大なる動作残時間をカウントし、前記記憶手段は、前記第１の動作残時間と前記第２の動作残時間との差を記憶し、前記残時間表示手段へは、前記大なる動作残時間はそのまま表示、小なる動作残時間は、前記大なる動作残時間と前記記憶手段で記憶している値との差分を表示するよう構成としたものである。
【０００６】
これによって、１つのタイマカウンタを用いて複数の加熱部に設定された動作時間の残時間を簡素な演算処理で算出し、１つの残時間表示手段にて表示することができる。
【発明の効果】
【０００７】
以上のように本発明の加熱調理器は、タイマ残時間を表示する表示器の数と使用するカウントタイマの数やマイクロコンピュータ等を増加させることなく、複数の加熱部に調理タイマ機能を搭載することを可能にし、制御部品のコストアップや機器開発コストの増大を抑制することができる。
【発明を実施するための最良の形態】
【０００８】
第１の発明は、複数の加熱部と、前記複数の加熱部の各々の動作を独立して設定すると共に、この設定内容を表示する操作表示部とを有し、前記操作表示部は、前記複数の加熱部の動作時間を各々独立して設定し、それらの動作残時間の何れか１つを表示する残時間表示手段と、複数設定された動作設定時間の中の１つである第１の加熱部の第１の動作設定時間を選択してカウントする１つのタイマカウンタと、前記第１の動作設定時間を基準として、他の加熱部の動作設定時間との差を記憶する記憶手段とを備え、前記タイマカウンタが前記第１の動作設定時間をカウントすることで前記第１の加熱部の動作残時間とし、前記第１の加熱部の動作残時間に前記記憶手段で記憶している、各々の加熱部の動作設定時間と前記第１の動作設定時間との差を加算した値を前記他の加熱部の動作残時間として前記残時間表示手段に表示する構成としたものである。これにより、第１及び第２の加熱部は操作表示部部の設定による制御信号によって各加熱部で独立した設定で動作可能で、各々独立した設定状態、例えば、手動調理の強・中・弱といった火力設定で別々の被加熱対象となる調理物あるいは調理物の入った容器等を同時に加熱できると共に、操作表示部にそれぞれの設定状態に対応した表示を行うことができる。
【０００９】
また、１つの加熱部、例えば第１の加熱部に調理タイマとして動作時間（例えば３０分）を設定すると、カウントタイマはこの第１の加熱部に対する第１の動作残時間をカウントし、残時間表示手段には第１の動作残時間が減じる度（例えば１分毎）にその表示を更新しながら表示する。加えて、もう一方の第２の加熱部に対しても調理タイマとして動作時間（例えば４０分）を設定すると、この時点で先にタイマ動作している第１の加熱部の現時点の第１の動作残時間（例えば５分経過後に第２の加熱部への調理タイマが設定されたとして、２５分）と第２の加熱部での第２の動作残時間、この時は設定された動作時間そのもの、とを比較して大きい方をカウントタイマはカウントする。これと同時に２つの動作残時間差を演算してその値を記憶手段で記憶する。例えば、この場合第２の動作残時間の方が他の残時間より大きいので、記憶手段に記憶される値は１５分となる。
【００１０】
これにより、この時点の各動作残時間は、第２の動作残時間はカウントタイマがカウント開始する初期値で４０分、第１の動作残時間は、第２の動作時間の４０分から、記憶手段に記憶している値１５分との差で２５分と算出され、残時間表示手段に、第２の動作残時間を表示する場合は、カウントタイマの値そのままの４０分を表示し、第１の動作残時間を表示する場合は、上記で算出した４０分−１５分＝２５分を表示する。同様に、１分経過後には、カウントタイマが１分をカウントしているので、第２の動作残時間は３９分、第１の動作残時間は、第２の動作残時間３９分と記憶手段に記憶している値１５分との差で２４分と算出され、残時間表示手段に、第２の動作残時間を表示する場合は、カウントタイマの値そのままの３９分を表示し、第１の動作残時間を表示する場合は、上記で算出した３９分−１５分＝２４分を表示する。この動作を繰り返すことで、１つのカウントタイマでのカウントであっても、２つの動作残時間を求め、所望の加熱部での動作残時間を残時間表示手段に表示することができる。全表示領域面積を増加させることなく、且つ、これらの動作をカウントタイマを１つと一方の加熱部の調理残時間と、記憶手段に記憶した２つの動作残時間の差との演算処理により、マイクロコンピュータ等の内部タイマの増加或いはタイマカウントによるプログラム領域の占有量増加を抑制しつつ、タイマ機能を所望の全ての加熱部に搭載できる。更に、複数の所望の加熱部に調理タイマを付与しつつ、操作表示領域の増加やそれを構成する表示素子やスイッチ等の電子部品や、それに付随する構造部品の増加をも抑制できる。
【００１１】
第２の発明は、特に第１の発明において、残時間表示手段に表示している動作残時間がどの加熱部のものであるかを示す選択表示手段を有する構成としたものである。これにより、選択表示手段が残時間表示手段で表示している動作残時間が第１または第２の加熱部のどちらの加熱部のものかを特定して明確にできる。
【００１２】
第３の発明は、特に第１または第２の発明において、操作表示部が選択手段を有し、前記選択手段にて選択された加熱部の動作残時間を残時間表示手段に表示する構成としたものである。これにより、使用者が選択手段を操作することで、所望の加熱部に対する動作残時間を選択して残時間表示手段に表示させることができる。
【００１３】
第４の発明は、特に第３の発明において、選択手段はスイッチから成り、前記スイッチの押下動作の繰り返しで加熱部の選択を行う構成としたものである。これにより、使用者はスイッチの押下動作という単純な操作の繰り返しで、所望の加熱部に対する動作残時間を選択して残時間表示手段に表示させることができる。
【００１４】
第５の発明は、特に第１または第２の発明において、第１及び第２の加熱部が動作時間を設定されている場合に、各々の動作残時間を時系列で残時間表示手段に順次表示する構成としたものである。これにより、使用者は操作表示部に触れることなく、各加熱部の動作残時間を容易に認識することができる。
【００１５】
第６の発明は、特に第１〜第５のいずれか１つの発明において、加熱動作を実行している加熱部を優先して動作時間の設定ができる構成としたものである。これにより、動作時間を設定する際に、非動作の加熱部への動作時間設定よりも、動作中の加熱部への動作時間設定を優先して行えるようにしているので、使用者が、一方の加熱部のみが動作しているときに、この加熱部に動作時間設定を行うつもりが、他方の非動作の加熱部に対して動作時間設定をしてしまい、実質意図した加熱調理結果にならなかった、例えば、調理物を焦がす等の失敗を防止することができる。また、選択手段のスイッチ等を繰り返し押下して選択するという場合は単一動作の繰り返し回数を削減できる。
【００１６】
第７の発明は、特に第１〜第６のいずれか１つの発明において、加熱動作を実行している加熱部に対してのみ動作時間の設定ができる構成としたものである。これにより、動作時間を設定する際に、非動作の加熱部への動作時間設定はできず、動作中の加熱部への動作時間設定をできるようにしているので、使用者が、一方の加熱部のみが動作しているときに、この加熱部に動作時間設定を行うつもりが、他方の非動作の加熱部に対して動作時間設定をしてしまい、実質意図した加熱調理結果にならなかった、例えば、調理物を焦がす等の失敗を防止することができる。
【００１７】
第８の発明は、特に第１〜第７のいずれか１つの発明において、報知手段を有し、残時間表示手段にて大なる動作残時間を表示中に、小なる動作残時間が０となれば、前記報知手段にて小なる動作残時間としている加熱部の動作を終了する旨の報知を行い該当する加熱部の動作を終了すると共に、前記残時間表示手段の表示を小なる動作残時間の表示に切り換え、前記報知を終了後は再度大なる動作残時間の表示に戻るよう構成としたものである。これにより、音声などで調理終了を使用者に報知できると共に、調理終了した加熱部がどれであるか、あるいは何の報知を行っているかを視覚的にも認識できる。
【００１８】
以下本発明の加熱調理器の実施の形態を誘導加熱調理器を例に取り上げ、図面に基づいて説明する。なお、この実施の形態によって本発明が限定されるものではない。
【００１９】
（実施の形態１）
以下本発明の実施の形態を図面に基づいて説明する。図１は本発明の実施の形態の構成を示すブロック図である。
【００２０】
図１の誘導加熱調理器において、鍋等の被加熱物を誘導加熱する第１の加熱部１、第２の加熱部２を有し、操作表示部３は選択手段３ａを含み、第１の加熱部１及び第２の加熱部２の動作設定状態を設定し、その設定状態に対応した表示をそれぞれ独立して表示する、スイッチ等、ＬＥＤやＬＣＤで構成したものであり、スイッチ等で構成された選択手段３ａとＬＣＤまたはＬＥＤから成りセグメント表示で数字を示す残時間表示手段１１ａ、ＬＥＤで構成された選択表示手段１２を含んでいる。タイマカウンタ４は第１の加熱部１及び第２の加熱部２の調理タイマ等の動作時間をカウントするものであり、記憶手段５は第１の加熱部１及び第２の加熱部２に設定された動作時間の差を記憶するものであり、報知手段１３はスピーカまたはブザー等で構成されたものである。
【００２１】
上記構成において、その動作を説明する。使用者が操作部表示３のスイッチ等を操作することにより操作部表示３は第１の加熱部１または第２の加熱部２に動作開始あるいは設定火力の信号を出力する。これを受けた第１の加熱部１または第２の加熱部２は加熱動作を開始したり、あるいは加熱動作中のものに対しては火力の設定を変える等の動作を行う。これと同時に操作表示部３は設定した各加熱部の設定状態を表示している。この時、操作表示部３はＬＥＤで構成された動作表示要素を各加熱部に対応して独立して有しているので、使用者はどの加熱部がどのような設定状態で動作しているのかを容易に視認することができる。
【００２２】
例えば、第１の加熱部１の動作を設定する場合には、図１に示す第１の操作領域６の「切／入」キー６ａ、「火力アップ」キー６ｂ、「火力ダウン」キー６ｃで、第１の加熱部１の加熱開始と停止は「切／入」キー６ａを押す毎に設定でき、加熱中に「火力アップ」キー６ｂまたは「火力ダウン」キー６ｃを押せば、第１の加熱部１の加熱火力を設定することができる。これと同時に第１の表示領域９内の加熱状態を示すＬＥＤ９ａ、火力設定状態を示すＬＥＤ９ｂに、設定されている状態を点灯・消灯によって表示する。加熱中であれば加熱状態を示すＬＥＤ９ａを点灯させ、加熱停止中であれば消灯させる。また、火力設定状態はＬＥＤ９ｂの中の、設定されている火力、本実施の形態では「強」・「中」・「弱」といった火力、に対応したＬＥＤを点灯させる。同様に第２の加熱部２の動作を設定する場合には、図１に示す第２の操作領域７の「切／入」キー７ａ、「火力アップ」キー７ｂ、「火力ダウン」キー７ｃで、第２の加熱部２の加熱開始と停止は「切／入」キー７ａを押す毎に設定でき、加熱中に「火力アップ」キー７ｂまたは「火力ダウン」キー７ｃを押せば、第２の加熱部２の加熱火力を設定することができる。これと同時に第２の表示領域１０内の加熱状態を示すＬＥＤ１０ａ、火力設定状態を示すＬＥＤ１０ｂに設定されている状態を点灯・消灯によって表示する。加熱中であれば加熱状態を示すＬＥＤ１０ａを点灯させ、加熱停止中であれば消灯させる。また、火力設定状態はＬＥＤ１０ｂの中の、設定されている火力、本実施の形態では「強」・「中」・「弱」といった火力、に対応したＬＥＤを点灯させる。
【００２３】
また、タイマ設定を行う場合には、図１に示す第３の操作領域８の中の選択手段３ａの「選択」キーで所望の加熱部を選択する。この場合、「選択」キー３ａを押す度に、選択する所望の加熱部を変更することができる。こうすることで、選択可能な加熱部の数だけスイッチを設けることなく、複数の加熱部から所望の加熱部を選択することができる。この後、第３の操作領域８の中の「分」キー８ａを押すことによってタイマ調理の時間を設定する。本実施の形態では「分」キー８ａを１回押す度にタイマ設定時間を１分づつ増加させている。タイマ調理をやめるときは「取消」キー８ｂを押す。これと同時に第２の表示部５の第３の表示領域１１内に配置され選択された加熱部を表す「第１」ＬＥＤ５ａまたは「第２」ＬＥＤ５ｂを点灯させ、「分」キー８ａを押す毎に数字表示素子５ｃの表示を「０」から１刻みに増加させて表示している。
【００２４】
この時、例えば第１の加熱部１に調理タイマとして動作時間（３０分）を設定すると、カウントタイマ４はこの第１の加熱部１に対する第１の動作残時間をカウントし、残時間表示手段１１ａには第１の動作残時間が減じる度（１分毎）にその表示を更新しながら表示する。加えて、もう一方の第２の加熱部２に対しても調理タイマとして動作時間（４０分）を設定すると、この時点で先にタイマ動作している第１の加熱部１の現時点の第１の動作残時間（５分経過後に第２の加熱部２への調理タイマが設定されたとして、２５分）と第２の加熱部２での第２の動作残時間、この時は設定された動作時間そのもの、とを比較して大きい方をカウントタイマ４はカウントする。これと同時に２つの動作残時間差を演算してその値を記憶手段５で記憶する。この場合第２の動作残時間が大きいので、記憶手段５に記憶される値は１５分となる。
【００２５】
これにより、この時点の各動作残時間は、第２の動作残時間はカウントタイマ４がカウント開始する初期値で４０分、第１の動作残時間は、第２の動作時間の４０分から、記憶手段５に記憶している値１５分との差で２５分と算出され、残時間表示手段１１ａに、第２の動作残時間を表示する場合は、カウントタイマの値そのままの４０分を表示し、第１の動作残時間を表示する場合は、上記で算出した（４０分−１５分＝）２５分を表示する。同様に、１分経過後には、カウントタイマ４が１分をカウントしているので、第２の動作残時間は３９分、第１の動作残時間は、第２の動作残時間３９分と記憶手段５に記憶している値１５分との差で２４分と算出され、残時間表示手段１１ａに、第２の動作残時間を表示する場合は、カウントタイマ４の値そのままの３９分を表示し、第１の動作残時間を表示する場合は、上記で算出した（３９分−１５分＝）２４分を表示する。この動作を繰り返すことで、１つのカウントタイマ４でのカウントであっても、２つの動作残時間を求め、所望の加熱部での動作残時間を残時間表示手段１１ａに表示することができる。
【００２６】
また、第１の加熱部１及び第２の加熱部２が動作中でなく、第２の加熱部２にタイマ調理をさせる場合には、まず、選択手段３ａの「選択」キーを２回押して、第２の加熱部２を選択し、次に「分」キー８ａを、所望の調理時間になるまで押して、本実施の形態では３回押せば３分にというように、調理時間を設定する。その後「切／入」キー７ａを押すことによって第２の加熱部２の加熱を開始させると、第２の加熱部２は設定した調理時間になるまで加熱を継続し、設定した調理時間に到達すると自動的に加熱を停止する。これと同時に第２の表示部５は、第２の加熱部２が選択されていることを示す「第２」ＬＥＤ５ｂを点灯させ、数字表示素子である残時間表示手段１１ａは「３」を表示する。その後、「切／入」キー７ａが押されると、第２の表示領域１０の加熱状態を示すＬＥＤ１０ａを点灯させると共に、加熱火力は火力設定状態を示すＬＥＤ１０ｂの中の初期値である「強」の位置のＬＥＤを点灯させている。また、調理時間の進行と共に残時間表示手段１１ａはその表示している数字を減じた値を「０」になるまで表示する。第２の加熱部２は設定された調理時間になると、報知手段１３がブザー吹鳴等で報知しつつ自動的に加熱を停止すると共に、第２の表示領域１０内のＬＥＤを消灯し、第３の表示領域１１の表示を消灯する。
【００２７】
更に、第２の加熱部２が加熱中に選択手段３ａの「選択」キーを１度押せばすぐに第２の加熱部２が選択された状態になり、第２の加熱部２が選択されたことを示す「第２」ＬＥＤ５ｂが点灯する。また、加熱動作中である加熱部のみタイマ設定できるようにすれば、第１の加熱部１及び第２の加熱部２が両方非動作であれば、タイマ調理したい加熱部を加熱動作に設定してから、「分」キー８ａを押せば、直ぐに加熱動作中の加熱部のタイマ設定ができる状態、即ち動作している方の選択表示手段１２の「第１」ＬＥＤ１２ａまたは「第２」ＬＥＤ１２ｂが点灯して残時間表示手段１１ａは該当加熱部に対する動作設定時間を表示する。
【００２８】
このように、動作している加熱部を優先して選択或いは限定して選択できるようにすることで、使用者が選択手段３ａの「選択」キーを押す動作数を低減すると共に、使用者が、一方の加熱部のみが動作しているときに、この加熱部に動作時間設定を行うつもりが、他方の非動作の加熱部に対して動作時間設定をしてしまい、実質意図した加熱調理結果にならなかった、例えば、調理物を焦がす等の失敗を防止している。
【００２９】
第２の加熱部２がタイマ調理中で、第３の表示領域１１に、第２の加熱部２が選択されていることを示す「第２」ＬＥＤ５ｂが点灯し、第２の加熱部２に設定された調理時間あるいは調理終了までの時間を残時間表示手段１１ａで表示している時に、選択手段３ａの「選択」キーを１回押すと、第２の加熱部２のタイマ調理に関する表示を一旦消灯すると共に第１の加熱部１が選択されていることを示す「第１」ＬＥＤ５ａを点灯する。この時第２の加熱部２のタイマ調理動作は継続して進行している。そして、「分」キー８ａを、所望の調理時間になるまで押して、本実施の形態では５回押せば５分にというように、調理時間を設定すると、残時間表示手段１１ａは「５」を表示する。その後「切／入」キー６ａを押すことによって第１の加熱部１の加熱を開始させると、第１の表示部４の第１の表示領域９の加熱状態を示す「加熱」ＬＥＤ９ａを点灯させると共に、加熱火力は火力設定状態を示すＬＥＤ９ｂの中の初期値である「強」の位置のＬＥＤを点灯させる。その後第１の加熱部１は設定した調理時間になるまで加熱を継続し、調理時間の進行と共に数字表示素子５ｃはその表示している数字を減じた値を「０」になるまで表示しながら、設定した調理時間に到達すると、報知手段１３がブザー吹鳴等で報知しつつ第１の加熱部１は自動的に加熱を停止する。この後は、未だ第２の加熱部２でのタイマ調理が進行しているので、第３の表示領域１１は自動的に、第２の加熱部２の動作残時間及び「第２」ＬＥＤ５ｂを点灯表示する。
【００３０】
第１の加熱部１がタイマ調理中で第３の表示領域１１では第１の加熱部１のタイマ調理状態を表示し、且つ第２の加熱部２もタイマ調理中の時は、第２の加熱部２のタイマ設定状態の表示だけを停止しているので、選択手段３ａの「選択」キーを１回押すと、第３の表示領域１１では第１の加熱部１のタイマ調理状態を消灯して第２の加熱部２のタイマ調理状態を表示する。更に再び選択手段３ａの「選択」キーを１回押すと、第２の表示部５は第２の加熱部２のタイマ調理状態を消灯して第１の加熱部１のタイマ調理状態を表示する。このようにすることで、１つの数字表示素子で複数の加熱部のタイマ調理状態を表示できるので、使用者が、所望の加熱部のタイマ調理の動作残時間を任意に視認できる。この第１の加熱部１のタイマ調理状態を表示している時に、先に第２の加熱部２の動作残時間が「０」になった場合は、一旦第３の表示領域１１では第２の加熱部２のタイマ加熱状態の表示に切り換える（残時間表示手段１１ａは「０」、選択表示手段１２は「第２」ＬＥＤをそれぞれ点灯表示）と共に、報知手段１３がブザー吹鳴等で調理終了の報知をしつつ第２の加熱部２は自動的に加熱を停止した後、再び第１の加熱部１のタイマ加熱状態の表示を行う。このことにより、使用者にどちらの加熱部のタイマ調理が終了しているのかを視覚的に伝達することができる。
【００３１】
また、同様に第１の加熱部１がタイマ調理中で、且つ第２の加熱部２もタイマ調理中の時は、それぞれのタイマ設定状態を所定の時間間隔で交互に表示させることも可能である。この場合は、使用者が選択手段３ａの「選択」キー等のキーを操作しなくても、１つの数字表示素子で複数の加熱部のタイマ調理状態を表示して使用者が所望の加熱部のタイマ調理の動作残時間を視認できる。
【００３２】
以上のように本実施の形態によれば、第３の表示領域１１内に配設された、１つの数字表示素子と２つのＬＥＤで、複数の加熱部のタイマ調理等の動作残時間を、「選択」キーの操作等で、使用者の意図に合致させて所望の加熱部ものを表示したり、あるいはキー操作なしで、時系列的に交互に複数の加熱部の、複数の動作残時間を切り換えて表示させることができるので、全表示領域面積を増加させることなく、且つ、これらの動作をカウントタイマを１つと一方の加熱部の動作残時間と、記憶手段への２つの動作残時間の差との演算処理により、マイクロコンピュータ等の内部タイマの増加或いはタイマカウントによるプログラム領域の占有量増加を抑制しつつ、タイマ機能を所望の全ての加熱部に搭載できる。更に、複数の所望の加熱部に調理タイマを付与しつつ、操作表示領域の増加や第３の表示領域、第３の操作領域を構成する電子部品やそれに付随する構造部品の増加をも抑制できる。
【００３３】
尚、本実施の形態では加熱部が２つ存在する場合について述べているが、３つ以上存在する場合でも、例えば、３つの場合には大なる残時間を基準としてそのまま表示し、他の２つの残時間をその各差を記憶して演算して指定することによりそれぞれ表示可能となるので同様の効果を得られる。さらに、再設定等により今の大なる残時間より大きく設定されると、これが新たな大なる残時間として基準となり同様の効果を得られるものである。
【００３４】
また、本実施の形態では表示する動作残時間は２桁で分単位に表示しているものを示しているが、必要に応じて、３桁以上の表示器を用いて時分秒をきめ細かく表示しても良い。
【産業上の利用可能性】
【００３５】
本発明の加熱調理器は、マイクロコンピュータ等を用いたシステムで構築され、且つ複数の加熱部に調理タイマを付与した調理器のコストダウン或いは操作表示領域の削減等に寄与できるので、複数の加熱部を有した、誘導加熱調理器等の電気調理器、或いは電気以外の熱源を用いたガスコンロ等に適用できる。
【図面の簡単な説明】
【００３６】
【図１】本発明の実施の形態１における加熱調理器の略図及びブロック図
【符号の説明】
【００３７】
１  第１の加熱部
２  第２の加熱部
３  操作表示部
４  タイマカウンタ
５  記憶手段
３ａ  選択手段
１１ａ  残時間表示手段
１２  選択表示手段
１３  報知手段
【図１】
0004415925.tif 000002